(57)【要約】      （修正有）【課題】加熱調理器と換気扇との間で通信エラーが生じた場合、そのことを使用者に知らせることができる加熱調理器および調理器システムを提供する。【解決手段】加熱調理器は、排気口１０６を有する本体と、本体の上面に設けられた天板１０２と、天板に載置された被加熱容器を加熱する加熱部と、換気扇４００へ信号を送信する送信部１１２と、換気扇から信号を受信する受信部１１３と、使用者に報知を行う報知部と、送信部から換気扇に信号を送信後、基準時間以内に受信部が換気扇から応答信号を受信しなかった場合、通信エラーと判定する制御装置と、を備え、制御装置は、通信エラーと判定した場合、報知部により通信エラーに関する情報を報知する。【選択図】図４
2018179318.tif 000002
【特許請求の範囲】
【請求項１】
排気口を有する本体と、
前記本体の上面に設けられた天板と、
前記天板に載置された被加熱容器を加熱する加熱部と、
換気扇へ信号を送信する送信部と、
前記換気扇から信号を受信する受信部と、
使用者に報知を行う報知部と、
前記送信部から前記換気扇に信号を送信後、基準時間以内に前記受信部が前記換気扇から応答信号を受信しなかった場合、通信エラーと判定する制御装置と、を備え、
前記制御装置は、
通信エラーと判定した場合、前記報知部により通信エラーに関する情報を報知する
加熱調理器。
【請求項２】
前記制御装置は、
前記送信部から前記換気扇に信号を送信後、基準時間以内に前記受信部が前記換気扇から応答信号を受信しなかった場合、前記送信部から前記換気扇に信号を再送信し、
基準回数再送信しても基準時間以内に前記受信部が応答信号を受信しなかった場合、通信エラーと判定する
請求項１に記載の加熱調理器。
【請求項３】
前記排気口、前記送信部、および、前記受信部は、前記天板よりも奥側の前記本体の上面に設けられている
請求項１または２に記載の加熱調理器。
【請求項４】
前記本体の前記上面は平坦部を有し、
前記送信部および前記受信部は、
前記平坦部よりも上方に突出している
請求項３に記載の加熱調理器。
【請求項５】
前記送信部を複数有し、
前記制御装置は、
各前記送信部から信号を順番に送信する
請求項１〜４のいずれか一項に記載の加熱調理器。
【請求項６】
前記排気口を前記送信部と同数有し、
前記排気口それぞれに対して、前記送信部が設けられている
請求項３に従属する請求項５に記載の加熱調理器。
【請求項７】
前記送信部から前記換気扇に送信する信号はダミー信号である
請求項１〜６のいずれか一項に記載の加熱調理器。
【請求項８】
請求項１〜７のいずれか一項に記載の加熱調理器と換気扇とを備えた調理器システムであって、
前記換気扇は、
前記加熱調理器へ信号を送信する換気扇送信部と、
前記加熱調理器から信号を受信する換気扇受信部と、
前記換気扇送信部および前記換気扇受信部を制御する換気扇制御装置と、を備え、
前記換気扇制御装置は、
前記換気扇受信部が前記加熱調理器から信号を受信したら、前記換気扇送信部から前記加熱調理器に応答信号を送信する
調理器システム。
【請求項９】
加熱調理器と換気扇とを備えた調理器システムであって、
前記加熱調理器は、
排気口を有する本体と、
前記本体の上面に設けられた天板と、
前記天板に載置された被加熱容器を加熱する加熱部と、
前記換気扇へ信号を送信する送信部と、
使用者に報知を行う報知部と、
ＨＥＭＳコントローラを介して前記換気扇からの信号を受信する第一ＨＥＭＳ通信制御部と、
制御装置と、を備え、
前記換気扇は、
前記加熱調理器から信号を受信する換気扇受信部と、
前記ＨＥＭＳコントローラを介して前記加熱調理器に信号を送信する第二ＨＥＭＳ通信制御部と、
換気扇制御装置と、を備え、
前記制御装置は、
前記送信部から前記換気扇に信号を送信後、基準時間以内に前記第一ＨＥＭＳ通信制御部が前記換気扇から応答信号を受信しなかった場合、通信エラーと判定し、通信エラーと判定した場合、前記報知部により通信エラーに関する情報を報知するものであり、
前記換気扇制御装置は、
前記換気扇受信部が前記加熱調理器から信号を受信したら、前記第二ＨＥＭＳ通信制御部から前記加熱調理器に応答信号を送信するものである
調理器システム。
【発明の詳細な説明】
【技術分野】
【０００１】
本発明は、加熱調理器および調理器システムに関し、特に換気扇との通信に関するものである。
【背景技術】
【０００２】
従来、換気扇に対して信号を送信することで換気扇を制御する加熱調理器が提案されている（例えば、特許文献１参照）。
【０００３】
特許文献１に記載の加熱調理器は、複数の送信部を備え、送信部は、他の送信部が換気扇に送信する信号と同一の信号を、換気扇に対しタイミングをずらして送信するものであり、一つの送信部が故障した場合でも、別の送信部が換気扇に信号を送信することができる。そのため、一つの送信部が故障した場合でも、換気扇を制御することができ、通信の信頼性を向上させることができる。
【先行技術文献】
【特許文献】
【０００４】
【特許文献１】特開２０１３−００２６４７号公報
【発明の概要】
【発明が解決しようとする課題】
【０００５】
特許文献１に記載されているような従来の加熱調理器は、送信部から送信した信号を換気扇が受信したかどうかは認識できないため、換気扇が信号を受信していない場合または受信できない場合に、換気扇との間で通信エラーが生じていることを判定することができなかった。そのため、加熱調理器と換気扇との間で通信エラーが生じていても、使用者にそのことを知らせることができないという課題があった。
【０００６】
本発明は、以上のような課題を解決するためになされたもので、加熱調理器と換気扇との間で通信エラーが生じた場合、そのことを使用者に知らせることができる加熱調理器および調理器システムを提供することを目的としている。
【課題を解決するための手段】
【０００７】
本発明に係る加熱調理器は、排気口を有する本体と、前記本体の上面に設けられた天板と、前記天板に載置された被加熱容器を加熱する加熱部と、換気扇へ信号を送信する送信部と、前記換気扇から信号を受信する受信部と、使用者に報知を行う報知部と、前記送信部から前記換気扇に信号を送信後、基準時間以内に前記受信部が前記換気扇から応答信号を受信しなかった場合、通信エラーと判定する制御装置と、を備え、前記制御装置は、通信エラーと判定した場合、前記報知部により通信エラーに関する情報を報知するものである。
【発明の効果】
【０００８】
本発明に係る加熱調理器によれば、送信部から換気扇に信号を送信後、基準時間以内に受信部が換気扇から応答信号を受信しなかった場合、通信エラーと判定し、通信エラーと判定した場合、報知部により通信エラーに関する情報を報知する。そのため、加熱調理器と換気扇との間で通信エラーが生じた場合、そのことを使用者に知らせることができる。
【図面の簡単な説明】
【０００９】
【図１】本発明の実施の形態１に係る加熱調理器の斜視図である。
【図２】本発明の実施の形態１に係る加熱調理器の別の例の斜視図である。
【図３】本発明の実施の形態１に係る加熱調理器の主要な構成および機能部を示す図である。
【図４】本発明の実施の形態１に係る加熱調理器の設置例を示す第一の概略図である。
【図５】本発明の実施の形態１に係る加熱調理器の設置例を示す第二の概略図である。
【図６Ａ】本発明の実施の形態１に係る加熱調理器の制御の一例を示す第一のフローチャートである。
【図６Ｂ】本発明の実施の形態１に係る加熱調理器の制御の一例を示す第二のフローチャートである。
【図７】本発明の実施の形態２に係る加熱調理器の送信部周辺の回路構成を説明する図である。
【図８】本発明の実施の形態２に係る加熱調理器の送信部周辺の回路構成を説明する別の例の図である。
【図９Ａ】本発明の実施の形態２に係る加熱調理器の制御の一例を示す第一のフローチャートである。
【図９Ｂ】本発明の実施の形態２に係る加熱調理器の制御の一例を示す第二のフローチャートである。
【図９Ｃ】本発明の実施の形態２に係る加熱調理器の制御の一例を示す第三のフローチャートである。
【図１０】本発明の実施の形態２に係る加熱調理器の通信エラー発生時の報知内容に関する図である。
【図１１】本発明の実施の形態４に係る調理器システムの主要な構成および機能部を示す図である。
【図１２】本発明の実施の形態４に係る調理器システムの換気扇側の制御の一例を示すフローチャートである。
【図１３】本発明の実施の形態５に係る調理器システムの主要な構成および機能部を示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明において、理解を容易にするために方向を表す用語（例えば「上」、「下」、「左」、「右」、「手前」、「奥」など）を適宜用いるが、これは説明のためのものであって、これらの用語は本願発明を限定するものではない。また、本発明の実施の形態では、加熱調理器を正面側から見た状態において、上記方向を表す用語を用いるものとする。
【００１１】
実施の形態１．
図１は、本発明の実施の形態１に係る加熱調理器１００の斜視図である。
本実施の形態１に係る加熱調理器１００は、外郭を構成する本体１０１と、その上部に固定された金属製の額縁状の外枠（図示せず）と、本体１０１の上面の略全体を覆うように、この外枠に取り付けられて配置され、可視光線を透過させる耐熱ガラスで形成された天板１０２とを備えている。天板１０２の左側手前、右側手前、および中央側奥の３箇所には、加熱口１０３が設けられている。なお、天板１０２の下面は、後述する表示部１０５の部分を除き、可視光線を透過させない塗装面で覆われることにより、天板１０２の上方からは、その下方の機能部品、例えば後述する加熱部１２０が視認できないようになっている。
【００１２】
天板１０２の手前側には、自動調理メニュー、調理温度などの設定操作を受け付ける操作部１０４が設けられている。また、天板１０２上の操作部１０４の近くには、例えば液晶ディスプレイからなる表示部１０５が配置されており、表示部１０５は、加熱口１０３と同数設けられている。また、表示部１０５には、例えば「予熱中」などの火力状況、「適温到達」などの経過状況、および、設定されている自動調理メニューの内容、などに関する情報が表示される。
【００１３】
天板１０２よりも奥側の本体１０１の上面には、本体１０１の内部の空気を排気するための排気口１０６が配置されている。排気口１０６は矩形を有し、平面視して左右方向が長手方向となるように左右にそれぞれ配置されている。また、本体１０１の奥側の側面には、本体１０１の内部への吸気を行うための吸気口１０７が設けられている。なお、排気口１０６の数は二つに限定されない。
【００１４】
天板１０２よりも奥側の本体１０１の上面かつ排気口１０６の近傍には、後述する換気扇３００へ信号を送信する送信部１１２、および、換気扇３００から信号を受信する受信部１１３が設けられており、送信部１１２および受信部１１３は、排気口１０６それぞれに対して設けられている。つまり、送信部１１２および受信部１１３は左右にそれぞれ設けられている。なお、送信部１１２および受信部１１３の数は二つに限定されず、排気口１０６の数と同数であればよい。
【００１５】
図２は、本発明の実施の形態１に係る加熱調理器１００の別の例の斜視図である。
なお、本実施の形態１では、図１に示すように、送信部１１２および受信部１１３は、排気口１０６を挟んで対向する位置に配置されているが、図２に示すように、送信部１１２および受信部１１３が排気口１０６を挟まずに並べて配置されていてもよい。
【００１６】
また、本体１０１の上面は平坦部を有し、送信部１１２は、送信感度を向上させるため、本体１０１の上面の平坦部よりも上方に突出して設けられている。同様に、受信部１１３は、受信感度を向上させるため、本体１０１の上面の平坦部よりも上方に突出して設けられている。
【００１７】
また、本体１０１の前面にはグリル部１０８が設けられており、グリル部１０８の右側にはカバー１０９が設けられている。
【００１８】
図３は、本発明の実施の形態１に係る加熱調理器１００の主要な構成および機能部を示す図である。
図３に示すように、加熱調理器１００の天板１０２に設けられた加熱口１０３の下部には、加熱部１２０が配置されている。また、本体１０１の内部には、加熱部１２０に流れる高周波電流を調整する高周波インバータ回路１２１が設けられている。
【００１９】
加熱部１２０は、例えば誘導加熱コイルであり、ほぼ環状の内側加熱コイル１２０ａと、その外側に設けられたほぼ環状の外側加熱コイル１２０ｂとを備えた二重環形状である。そして、加熱部１２０に高周波電流を流すことで天板１０２上に載置された被加熱容器２００に渦電流が発生し、この発生する渦電流と被加熱容器２００自身の抵抗とにより被加熱容器２００が発熱し、加熱調理を実現する。なお、加熱部１２０は誘導加熱コイルに限定されず、電気ヒータなど他の加熱手段であってもよい。
【００２０】
また、天板１０２の裏面の加熱部１２０と対向する面には、サーミスタ、赤外線センサなどの温度センサ１２２が天板１０２の裏面に配置されている。温度センサ１２２は、被加熱容器２００から天板１０２へ伝わる熱を検知する。温度センサ１２２で検知された天板１０２の温度は、温度検知部１２３に出力され、温度検知部１２３によって、温度に換算される。このようにして、被加熱物を収容する被加熱容器２００の温度が検知される。
【００２１】
排気口１０６の下方には、加熱部１２０および高周波インバータ回路１２１を冷却する空気を送風する冷却ファン１２４と、冷却ファン１２４を回転駆動する冷却ファンモータ１２５と、が設けられている。冷却ファン１２４は、外部の空気を吸気口１０７から吸い込み、その吸い込んだ空気を冷却風として加熱部１２０および高周波インバータ回路１２１に供給してそれらを冷却した後、排気口１０６から外部に排気する。また、本体１０１の内部または外部には、音声、ブザー、ＬＥＤ、画面表示など、またはそれらの組み合わせにより使用者に報知を行う報知部１１１が設けられている。なお、本実施の形態１では、報知部１１１は、表示部１０５とは別体としたが、同体としてもよい。報知部１１１を表示部１０５と同体とすることで、新たに専用の表示部材を設ける必要がなく、コストを抑制することができる。
【００２２】
本体１０１の内部には、加熱調理器１００を制御する制御装置１５０が設けられている。制御装置１５０は、表示部１０５を制御する表示制御部１５２と、操作部１０４を制御する操作制御部１５３と、冷却ファンモータ１２５を制御する冷却ファンモータ駆動部１５４と、高周波インバータ回路１２１を制御するインバータ回路駆動部１５５と、加熱調理器１００の制御に必要なデータおよびプログラムを記憶する記憶部１５６と、時間を計測するタイマ部１５７と、報知部１１１を制御する報知制御部１５８と、送信部１１２および受信部１１３を制御する通信制御部１５９と、それらを統括制御するメイン制御部１５１と、を備えている。
【００２３】
制御装置１５０は、その機能を実現する回路デバイスなどのハードウェアを用いて構成されているか、または、マイコンまたはＣＰＵなどの演算装置と、その上で実行されるソフトウェアとで構成されている。
【００２４】
また、二つの送信部１１２は、同一の出力ポートで通信制御部１５９に接続されており、同様に、二つの受信部１１３は、同一の入力ポートで通信制御部１５９に接続されている。
【００２５】
図４は、本発明の実施の形態１に係る加熱調理器１００の設置例を示す第一の概略図であり、図５は、本発明の実施の形態１に係る加熱調理器１００の設置例を示す第二の概略図である。
図４および図５に示すように、本実施の形態１に係る加熱調理器１００はキッチンカウンター４５０に設置されるものであり、内部に換気扇３００が配置されたレンジフード４００の下方に設置される。
【００２６】
レンジフード４００は、加熱調理器１００の上方に配置され、排気口１０６からの空気、および、天板１０２上に載置された被加熱容器２００からの水および油などが混ざった空気を集めるものである。また、換気扇３００は、レンジフード４００に集められた加熱調理器１００からの空気を外部に排気するものである。
【００２７】
換気扇３００は、レンジフード４００に集められた加熱調理器１００からの空気を外部に排気する換気ファン３０１と、加熱調理器１００に信号を送信する換気扇送信部３０２と、加熱調理器１００から信号を受信する換気扇受信部３０３と、を備えており、それらはレンジフード４００内に設けられている。
【００２８】
本実施の形態１に係る加熱調理器１００は、例えば赤外線などにより換気扇３００と無線通信を行う機能を有している。具体的には、図４に示すように、信号送信時は、加熱調理器１００の送信部１１２から換気扇３００の換気扇受信部３０３に対して信号を送信し、信号受信時は、加熱調理器１００の受信部１１３により換気扇３００の換気扇送信部３０２からの信号を受信する。
【００２９】
本実施の形態１では、換気扇３００は、加熱調理器１００から信号を受信したら、加熱調理器１００に対して応答信号を送信する。そのため、加熱調理器１００は、換気扇３００に対して信号を送信した後、応答信号を受信することで、換気扇３００との通信が正常に行われたことを認識することができる。
【００３０】
一方、図５に示すように、加熱調理器１００の送信部１１２上に、例えば被加熱容器２００が載置されている場合、加熱調理器１００から送信される信号は、被加熱容器２００によって遮断され、換気扇３００は、加熱調理器１００から信号を受信せず、加熱調理器１００に対して応答信号を送信しない。そのため、加熱調理器１００は、換気扇３００に対して信号を送信した後、応答信号を受信しないことで、換気扇３００との通信が正常に行われなかったこと、つまり通信エラーが生じたことを認識することができる。
【００３１】
図６Ａは、本発明の実施の形態１に係る加熱調理器１００の制御の一例を示す第一のフローチャートであり、図６Ｂは、本発明の実施の形態１に係る加熱調理器１００の制御の一例を示す第二のフローチャートである。
以下、本実施の形態１に係る加熱調理器１００の制御について、図６Ａおよび図６Ｂを用いて説明する。
【００３２】
メイン制御部１５１は、操作制御部１５３により、操作部１０４から換気扇３００の動作開始指示を受け付けたら（ステップＳ１０１のＹＥＳ）、通信制御部１５９により、各送信部１１２から換気扇３００の換気扇受信部３０３に対して駆動信号を送信し（ステップＳ１０２）、タイマ部１５７により時間の計測を開始する（ステップＳ１０３）。なお、駆動信号は、換気扇３００に対して換気ファン３０１の駆動を指示する信号である。
【００３３】
ここで、本実施の形態１に係る加熱調理器１００は、送信部１１２が二つ設けられているが、それらは同一の出力ポートで通信制御部１５９に接続されているため、送信部１１２から換気扇３００の換気扇受信部３０３に対して駆動信号を送信する際、二つの送信部１１２から同時に駆動信号が送信されることとなる。
【００３４】
ステップＳ１０３の後、メイン制御部１５１は、通信制御部１５９により、受信部１１３が換気扇３００の換気扇送信部３０２から応答信号を受信したかどうかを判定する（ステップＳ１０４）。
【００３５】
ここで、本実施の形態１に係る加熱調理器１００は、受信部１１３が二つ設けられているが、それらは同一の入力ポートで通信制御部１５９に接続されているため、受信部１１３が応答信号を受信した場合、どちらの受信部１１３が受信したかどうかについては区別しない構成となっている。
【００３６】
メイン制御部１５１は、通信制御部１５９により、受信部１１３が換気扇３００の換気扇送信部３０２から応答信号を受信したと判定した場合（ステップＳ１０４のＹＥＳ）、換気扇３００との通信正常と判定し、処理を終了する。
【００３７】
一方、メイン制御部１５１は、通信制御部１５９により、受信部１１３が換気扇３００の換気扇送信部３０２から応答信号を受信していないと判定した場合（ステップＳ１０４のＮＯ）、記憶部１５６に記憶されている基準時間を参照し、タイマ部１５７による計測時間が基準時間を経過しているかどうかを判定する（ステップＳ１０５）。ここで、基準時間とは、送信部１１２から換気扇受信部３０３への駆動信号の再送信を判定するための時間であり、あらかじめ設定されている。
【００３８】
メイン制御部１５１は、タイマ部１５７による計測時間が基準時間を経過していないと判定した場合（ステップＳ１０５のＮＯ）、ステップＳ１０４に戻る。一方、メイン制御部１５１は、タイマ部１５７による計測時間が基準時間を経過していると判定した場合（ステップＳ１０５のＹＥＳ）、記憶部１５６に記憶されている設定回数を参照し、再送信回数が設定回数を超えているかどうかを判定する（ステップＳ１０６）。
【００３９】
ここで、設定回数とは、送信部１１２から換気扇受信部３０３へ駆動信号を再送信する回数の最大値を決定するものであり、あらかじめ設定されている。また、再送信回数は、処理開始直後または前回の処理終了後にリセットされ、初期値として０が設定されているものとする。
【００４０】
メイン制御部１５１は、再送信回数が設定回数を超えていると判定した場合（ステップＳ１０６のＹＥＳ）、ステップＳ１１０へ進む。一方、メイン制御部１５１は、再送信回数が設定回数を超えていないと判定した場合（ステップＳ１０６のＮＯ）、計測時間をリセットし（ステップＳ１０７）、再送信回数に１を加算し（ステップＳ１０８）、通信制御部１５９により、各送信部１１２から換気扇３００の換気扇受信部３０３に対して駆動信号を再送信し（ステップＳ１０９）、ステップＳ１０３に戻る。
【００４１】
ステップＳ１１０において、メイン制御部１５１は、加熱部１２０が動作中であるかどうかを判定し、加熱部１２０が動作中でないと判定した場合（ステップＳ１１０のＮＯ）、ステップＳ１１２に進む。一方、メイン制御部１５１は、加熱部１２０が動作中であると判定した場合（ステップＳ１１０のＹＥＳ）、インバータ回路駆動部１５５により加熱部１２０の動作を停止させ（ステップＳ１１１）、ステップＳ１１２に進む。
【００４２】
ステップＳ１１２において、メイン制御部１５１は、報知部１１１により通信エラーに関する情報を報知する。なお、報知内容としては、報知部１１１が表示部である場合、表示部に「排気口の上に鍋などが置かれていないか確認して下さい」、および、エラーコードを表示させることが考えられる。また、報知部１１１がＬＥＤである場合、ＬＥＤを点滅または点灯させることが考えられる。また、報知部１１１がスピーカーである場合、音声により「排気口の上に鍋などが置かれていないか確認して下さい」を発声することが考えられる。
【００４３】
以上、本実施の形態１に係る加熱調理器１００は、排気口１０６を有する本体１０１と、本体１０１の上面に設けられた天板１０２と、天板１０２に載置された被加熱容器２００を加熱する加熱部１２０と、換気扇３００へ信号を送信する送信部１１２と、換気扇３００から信号を受信する受信部１１３と、使用者に報知を行う報知部１１１と、送信部１１２から換気扇３００に信号を送信後、基準時間以内に受信部１１３が換気扇３００から応答信号を受信しなかった場合、通信エラーと判定する制御装置１５０と、を備え、制御装置１５０は、通信エラーと判定した場合、報知部１１１により通信エラーに関する情報を報知するものである。
【００４４】
本実施の形態１に係る加熱調理器１００によれば、送信部１１２から換気扇３００に信号を送信後、基準時間以内に受信部１１３が換気扇３００から応答信号を受信しなかった場合、通信エラーと判定し、通信エラーと判定した場合、報知部１１１により通信エラーに関する情報を報知する。そのため、加熱調理器１００と換気扇３００との間で通信エラーが生じた場合、そのことを使用者に知らせることができる。
【００４５】
また、本実施の形態１に係る加熱調理器１００の制御装置１５０は、送信部１１２から換気扇３００に信号を送信後、基準時間以内に受信部１１３が換気扇３００から応答信号を受信しなかった場合、送信部１１２から換気扇３００に信号を再送信し、基準回数再送信しても基準時間以内に受信部１１３が応答信号を受信しなかった場合、通信エラーと判定するものである。
【００４６】
本実施の形態１に係る加熱調理器１００によれば、短い時間のみ加熱調理器１００と換気扇３００とで通信が行えなかった場合でも、すぐに通信エラーと判定せずに再送信を行うため、換気扇３００との間で通信エラーが生じているかどうかをより確実に判定することができる。また、加熱調理器１００と換気扇３００との間で生じた通信エラー状態がすぐに復旧した場合、通信を行うことができるため、通信の信頼性を向上させることができる。
【００４７】
また、本実施の形態１に係る加熱調理器１００は、排気口１０６、送信部１１２、および、受信部１１３は、天板１０２よりも奥側の本体１０１の上面に設けられているものである。
【００４８】
本実施の形態１に係る加熱調理器１００によれば、送信部１１２、受信部１１３、および、排気口１０６は、全て天板１０２よりも奥側の本体１０１の上面に設けられており、送信部１１２および受信部１１３は排気口１０６の近くに設けられている。そのため、換気扇３００との間で通信エラーが生じている原因が、排気口１０６周辺に被加熱容器２００などが載置されているためであると判定でき、報知部１１１によりそれに応じた報知を行うことができる。
【００４９】
例えば、報知部１１１は、図示していないが、排気口１０６の近くに配置したＬＥＤまたは表示画面による表示とすれば、使用者の注意を排気口１０６へ向けることができ、排気口１０６周辺の異常に気付かせやすくすることができる。ここで、ＬＥＤで表示させる場合は、導光板を用いれば、少ないＬＥＤで細長い長方形または円弧形状に光らせることができ、排気口１０６の長手方向の長さに相当した表示とすれば、より使用者の注意を引くことができる。
【００５０】
また、本実施の形態１に係る加熱調理器１００は、本体１０１の上面は平坦部を有し、送信部１１２および受信部１１３は、平坦部よりも上方に突出しているものである。
【００５１】
本実施の形態１に係る加熱調理器１００によれば、送信部１１２および受信部１１３が本体１０１の上面の平坦部よりも上方に突出しているため、本体１０１の上面によって遮断されずに済み、送信感度および受信感度を向上させることができる。
【００５２】
実施の形態２．
以下、本発明の実施の形態２について説明するが、実施の形態１と重複するものについては説明を省略し、実施の形態１と同じ部分または相当する部分には同じ符号を付す。
【００５３】
実施の形態１では、メイン制御部１５１は、操作制御部１５３により、操作部１０４から換気扇３００の動作開示指示を受け付けたら、通信制御部１５９により、各送信部１１２から換気扇３００の換気扇受信部３０３に対して信号を同時に送信する構成であった。
【００５４】
しかし、本実施の形態２では、メイン制御部１５１は、操作制御部１５３により、操作部１０４から換気扇３００の動作開示指示を受け付けたら、通信制御部１５９により、各送信部１１２から換気扇３００の換気扇受信部３０３に対して信号を、タイミングをずらして順番に送信する構成とする。
【００５５】
図７は、本発明の実施の形態２に係る加熱調理器１００の送信部１１２周辺の回路構成を説明する図である。なお、図７では説明の便宜上、送信部１１２の数を二つより多くしている。
本実施の形態２では、図７に示すように、各送信部１１２は、別々の出力ポートで通信制御部１５９に接続されている。このように、本実施の形態２に係る加熱調理器１００は、各送信部１１２が別々の出力ポートで通信制御部１５９に接続されているため、各送信部１１２から換気扇３００の換気扇受信部３０３に対して信号を、タイミングをずらして順番に送信することが可能となり、また、どの送信部１１２から信号を送信したかを認識することが可能となる。
【００５６】
図８は、本発明の実施の形態２に係る加熱調理器１００の送信部１１２周辺の回路構成を説明する別の例の図である。なお、図８では説明の便宜上、送信部１１２の数を二つより多くしている。
図８に示すように、各送信部１１２をセレクタ１７０に接続し、セレクタ１７０と通信制御部１５９とを出力ポートおよび切り替え用ポートで接続する構成としてもよい。このように構成することでも、本実施の形態２に係る加熱調理器１００は、各送信部１１２から換気扇３００の換気扇受信部３０３に対して信号を、タイミングをずらして順番に送信することが可能となり、また、どの送信部１１２から信号を送信したかを認識することが可能となる。
【００５７】
また、図７に示す回路構成では、送信部１１２の数だけ出力ポートが必要であるが、図８に示す回路構成では、一つの出力ポートおよび一つの切り替え用ポートで済むため、送信部１１２の数が多い場合は、図８に示す回路構成の方が、通信制御部１５９のポート数を少なくすることができる。
【００５８】
図９Ａは、本発明の実施の形態２に係る加熱調理器１００の制御の一例を示す第一のフローチャートであり、図９Ｂは、本発明の実施の形態２に係る加熱調理器１００の制御の一例を示す第二のフローチャートであり、図９Ｃは、本発明の実施の形態２に係る加熱調理器１００の制御の一例を示す第三のフローチャートである。
以下、本実施の形態２に係る加熱調理器１００の制御について、図９Ａ、図９Ｂ、および、図９Ｃを用いて説明する。
【００５９】
メイン制御部１５１は、操作制御部１５３により、操作部１０４から換気扇３００の動作開始指示を受け付けたら（ステップＳ２０１のＹＥＳ）、記憶部１５６に記憶されているＮを０とし（ステップＳ２０２）、通信制御部１５９により、Ｎ番目の送信部１１２から換気扇３００の換気扇受信部３０３に対して駆動信号を送信し（ステップＳ２０３）、タイマ部１５７により時間の計測を開始する（ステップＳ２０４）。
【００６０】
ここで、例えば、右側の送信部１１２の番号が０、左側の送信部１１２の番号を１であるとすると、Ｎ＝０の場合、メイン制御部１５１は、右側の送信部１１２から換気扇３００の換気扇受信部３０３に対して駆動信号を送信するように、通信制御部１５９に指示する。
【００６１】
ステップＳ２０４の後、メイン制御部１５１は、通信制御部１５９により、受信部１１３が換気扇３００の換気扇送信部３０２から応答信号を受信したかどうかを判定する（ステップＳ２０５）。
【００６２】
メイン制御部１５１は、通信制御部１５９により、受信部１１３が換気扇３００の換気扇送信部３０２から応答信号を受信したと判定した場合（ステップＳ２０５のＹＥＳ）、ステップＳ２１２に進む。
【００６３】
一方、メイン制御部１５１は、通信制御部１５９により、受信部１１３が換気扇３００の換気扇送信部３０２から応答信号を受信していないと判定した場合（ステップＳ２０５のＮＯ）、記憶部１５６に記憶されている基準時間を参照し、タイマ部１５７による計測時間が基準時間を経過しているかどうかを判定する（ステップＳ２０６）。ここで、基準時間とは、送信部１１２から換気扇受信部３０３への駆動信号の再送信を行うか否かの判定をするための時間であり、あらかじめ設定されている。
【００６４】
メイン制御部１５１は、タイマ部１５７による計測時間が基準時間を経過していないと判定した場合（ステップＳ２０６のＮＯ）、ステップＳ２０５に戻る。一方、メイン制御部１５１は、タイマ部１５７による計測時間が基準時間を経過していると判定した場合（ステップＳ２０６のＹＥＳ）、記憶部１５６に記憶されている設定回数を参照し、再送信回数が設定回数を超えているかどうかを判定する（ステップＳ２０７）。
【００６５】
ここで、設定回数とは、送信部１１２から換気扇受信部３０３へ駆動信号を再送信する回数の最大値を決定するものであり、あらかじめ設定されている。また、再送信回数は、処理開始直後または前回の処理終了後にリセットされ、初期値として０が設定されているものとする。
【００６６】
メイン制御部１５１は、再送信回数が設定回数を超えていると判定した場合（ステップＳ２０７のＹＥＳ）、記憶部１５６に、Ｎ番目の送信部１１２が通信エラーであることをエラー情報として記憶し（ステップＳ２１１）、ステップＳ２１２へ進む。例えば、Ｎ＝０の場合、右側の送信部１１２が通信エラーであることが記憶部１５６に記憶される。
【００６７】
一方、メイン制御部１５１は、再送信回数が設定回数を超えていないと判定した場合（ステップＳ２０７のＮＯ）、計測時間をリセットし（ステップＳ２０８）、再送信回数に１を加算し（ステップＳ２０９）、通信制御部１５９により、Ｎ番目の送信部１１２から換気扇３００の換気扇受信部３０３に対して駆動信号を再送信し（ステップＳ２１０）、ステップＳ２０４に戻る。
【００６８】
ステップＳ２１２において、メイン制御部１５１は、記憶部１５６に記憶されているＮに１を加算し、Ｎの数が送信部１１２の数以上であるかどうかを判定する。
【００６９】
メイン制御部１５１は、Ｎの数が送信部１１２の数以上ではないと判定した場合（ステップＳ２１３のＮＯ）、ステップＳ２０３に戻り、通信制御部１５９により、Ｎ番目の送信部１１２から換気扇３００の換気扇受信部３０３に対して駆動信号を送信し、タイマ部１５７により時間の計測を開始する（ステップＳ２０４）。
【００７０】
ここで、Ｎ＝１の場合、メイン制御部１５１は、左側の送信部１１２から換気扇３００の換気扇受信部３０３に対して駆動信号を送信するように、通信制御部１５９に指示する。
【００７１】
一方、メイン制御部１５１は、Ｎの数が送信部１１２の数以上であると判定した場合、つまり、全ての送信部１１２から駆動信号を送信したと判定した場合（ステップＳ２１３のＹＥＳ）、記憶部１５６に記憶されているエラー情報を参照し、エラーがあるかどうかを判定する（ステップＳ２１４）。
【００７２】
メイン制御部１５１は、エラーがないと判定した場合（ステップＳ２１４のＮＯ）、換気扇３００との通信正常と判定し、処理を終了する。一方、メイン制御部１５１は、エラーがあると判定した場合（ステップＳ２１４のＹＥＳ）、さらに全ての送信部１１２がエラーであるかどうかを判定する（ステップＳ２１５）。
【００７３】
メイン制御部１５１は、全ての送信部１１２がエラーであると判定した場合（ステップＳ２１５のＹＥＳ）、ステップＳ２１６に進む。一方、メイン制御部１５１は、全ての送信部１１２がエラーではないと判定した場合、つまり、一部の送信部１１２のみエラーであると判定した場合（ステップＳ２１５のＮＯ）、ステップＳ２１８に進む。
【００７４】
ステップＳ２１６において、メイン制御部１５１は、加熱部１２０が動作中であるかどうかを判定し、加熱部１２０が動作中でないと判定した場合（ステップＳ２１６のＮＯ）、ステップＳ２１８に進む。一方、メイン制御部１５１は、加熱部１２０が動作中であると判定した場合（ステップＳ２１６のＹＥＳ）、インバータ回路駆動部１５５により加熱部１２０の動作を停止させ（ステップＳ２１７）、ステップＳ２１８に進む。
【００７５】
つまり、メイン制御部１５１は、全ての送信部１１２がエラー時に、加熱部１２０が動作中であった場合は、加熱部１２０を停止させる。これは、全ての送信部１１２がエラー時には、換気ファン３０１を駆動させることができないためである。
【００７６】
ステップＳ２１８において、メイン制御部１５１は、記憶部１５６に記憶されているエラー情報を参照し、エラーとなった送信部１１２に関する情報を報知部１１１により報知する。
【００７７】
図１０は、本発明の実施の形態２に係る加熱調理器１００の通信エラー発生時の報知内容に関する図である。
報知部１１１が表示部である場合、例えば、右側の送信部１１２がエラーだったときは、報知内容としては、図１０に示すように、表示部に「右側の排気口の異常を検知しました。右側の排気口の上に鍋などが置かれていないか確認して下さい。」という文字を、鍋の図とともに表示することが考えられる。なお、表示部に文字などを表示する際、表示部を点滅させたり、輝度を高くしたりして使用者の注意を引きやすいようにすることも考えられる。また、各排気口１０６に対応して表示部を設け、通信エラーが生じた場合、通信エラーが生じた送信部１１２が配置されている側の排気口１０６に対応した表示部に、エラーに関する情報を表示させるようにしてもよい。
【００７８】
例えば、報知部１１１は、図示していないが、排気口１０６の近くに配置したＬＥＤまたは表示画面による表示とすれば、使用者の注意を排気口１０６へ向けることができ、排気口１０６周辺の異常に気付かせやすくすることができる。ここで、ＬＥＤで表示させる場合は、導光板を用いれば、少ないＬＥＤで細長い長方形または円弧形状に光らせることができ、排気口１０６の長手方向の長さに相当した表示とすれば、より使用者の注意を引くことができる。
【００７９】
なお、右側の送信部１１２がエラーの場合でも、左側の送信部１１２が正常に通信可能な場合、「右側の排気口の異常を検知しました、右側の排気口の上に鍋などが置かれていないか確認して下さい。」と音声または文字による表示での報知に留め、左側の送信部１１２もエラーで全く通信ができなかった場合のみエラーの報知を行うようにしてもよい。
【００８０】
さらに、メイン制御部１５１は、温度検知部（図示せず）により本体１０１の内部で冷却している素子の温度を検知し、左側の送信部１１２は正常でも右側の排気口１０６の異常な状態が継続して、検知した素子の温度が異常な温度と判定した場合に、エラーの報知を行うようにしてもよい。このようにすることで、一箇所の通信が異常でも使用者は調理を継続することができるため、使い勝手をよくすることができる。また、メイン制御部１５１は、素子が異常な温度を超える前に加熱部１２０を停止することができるため、使用者はより安全に使用することができる。
【００８１】
また、報知部１１１がスピーカーである場合、音声により同様の内容を発声することが考えられる。また、報知部１１１がＬＥＤである場合、右側の排気口１０６周辺に配置されているＬＥＤを点灯または点滅させたり、緑から赤に色を変えたりすることが考えられる。
【００８２】
以上、本実施の形態２に係る加熱調理器１００は、送信部１１２を複数有し、制御装置１５０は、各送信部１１２から信号を順番に送信するものである。また、排気口１０６を送信部１１２と同数有し、排気口１０６それぞれに対して、送信部１１２が設けられているものである。
【００８３】
本実施の形態２に係る加熱調理器１００によれば、送信部１１２を複数有しているため、一つの送信部１１２が故障した場合でも、換気扇３００を制御することができ、通信の信頼性を向上させることができる。また、排気口１０６それぞれに対して、送信部１１２が設けられており、各送信部１１２から信号を順番に送信するため、通信エラーが生じた場合、どの送信部１１２で通信エラーが生じたかを特定できる。また、通信エラーの原因が送信部１１２からの信号が被加熱容器２００などによって信号が遮断されていることである場合、どの排気口１０６周辺に被加熱容器２００が載置されているかを特定することができる。
【００８４】
実施の形態３．
以下、本発明の実施の形態３について説明するが、実施の形態１および２と重複するものについては説明を省略し、実施の形態１および２と同じ部分または相当する部分には同じ符号を付す。
【００８５】
実施の形態１および２では、加熱調理器１００から換気扇３００に駆動信号を送信する際の制御について説明したが、本実施の形態３では、加熱調理器１００から換気扇３００にダミー信号を送信する際の制御について説明する。
【００８６】
ここで、ダミー信号とは、加熱調理器１００と換気扇３００との間で通信を正常に行うことができるかどうかの確認を行うために用いられる信号であり、換気扇３００に対する指示を含まない信号である。
ダミー信号を用いた加熱調理器１００の制御内容は、駆動信号がダミー信号に変わった以外は実施の形態１および２と同様であるため、説明を省略する。
【００８７】
以上、本実施の形態３に係る加熱調理器１００は、送信部１１２から換気扇３００に送信する信号はダミー信号である。
【００８８】
本実施の形態３に係る加熱調理器１００によれば、例えば点検時のような換気扇３００の換気ファン３０１を駆動させる必要がない場合に、換気ファン３０１を駆動させることなく、加熱調理器１００と換気扇３００との間で通信を正常に行うことができるかどうかの確認を行うことができる。
【００８９】
実施の形態４．
以下、本発明の実施の形態４について説明するが、実施の形態１〜３と重複するものについては説明を省略し、実施の形態１〜３と同じ部分または相当する部分には同じ符号を付す。
【００９０】
図１１は、本発明の実施の形態４に係る調理器システムの主要な構成および機能部を示す図である。
図１１に示すように、本実施の形態４に係る調理器システムは、キッチンカウンター４５０（図４参照）に設置される加熱調理器１００と、その上方に設置されたレンジフード４００の内部に配置された換気扇３００と、で構成されている。
【００９１】
本実施の形態４に係る加熱調理器１００は、実施の形態１で説明したものと同様の構成である。また、本実施の形態４に係る換気扇３００は、レンジフード４００に集められた加熱調理器１００からの空気を外部に排気する換気ファン３０１と、換気ファン３０１を回転駆動する換気ファンモータ３０４と、加熱調理器１００に信号を送信する換気扇送信部３０２と、加熱調理器１００から信号を受信する換気扇受信部３０３と、換気扇３００を制御する換気扇制御装置３５０と、を備えており、それらはレンジフード４００内に設けられている。
【００９２】
換気扇制御装置３５０は、換気ファンモータ３０４を制御する換気ファンモータ駆動部３５２と、換気扇送信部３０２および換気扇受信部３０３を制御する換気扇通信制御部３５３と、それらを統括制御する換気扇メイン制御部３５１と、を備えている。
【００９３】
換気扇制御装置３５０は、その機能を実現する回路デバイスなどのハードウェアを用いて構成されているか、または、マイコンまたはＣＰＵなどの演算装置と、その上で実行されるソフトウェアとで構成されている。
【００９４】
図１２は、本発明の実施の形態４に係る調理器システムの換気扇側の制御の一例を示すフローチャートである。
以下、本実施の形態４に係る調理器システムの制御について、図１２を用いて換気扇３００側を中心に説明する。なお、本実施の形態４では、換気扇３００が、加熱調理器１００から駆動信号またはダミー信号のいずれかを受信する場合の制御について説明する。また、加熱調理器１００側の制御に関しては、実施の形態１および２で説明した制御と同様であるため、説明を省略する。
【００９５】
換気扇メイン制御部３５１は、換気扇受信部３０３により、加熱調理器１００の送信部１１２から信号を受信したら（ステップＳ３０１のＹＥＳ）、換気扇送信部３０２により、加熱調理器１００の受信部１１３に対して応答信号を送信する（ステップＳ３０２）。
【００９６】
ステップＳ３０２の後、換気扇メイン制御部３５１は、受信した信号が駆動信号であるかどうかを判定する（ステップＳ３０３）。換気扇メイン制御部３５１は、受信した信号が駆動信号でないと判定した場合、つまり受信した信号がダミー信号であると判定した場合（ステップＳ３０３のＮＯ）、処理を終了する。一方、換気扇メイン制御部３５１は、受信した信号が駆動信号であると判定した場合（ステップＳ３０３のＹＥＳ）、換気ファン３０１が既に駆動中であるかどうかを判定する（ステップＳ３０４）。
【００９７】
換気扇メイン制御部３５１は、換気ファン３０１が既に駆動中であると判定した場合（ステップＳ３０４のＹＥＳ）、処理を終了する。一方、換気扇メイン制御部３５１は、換気ファン３０１が駆動中ではないと判定した場合（ステップＳ３０４のＮＯ）、換気ファンモータ駆動部３５２により換気ファン３０１を駆動させる（ステップＳ３０５）。
【００９８】
以上、本実施の形態４に係る調理器システムは、加熱調理器１００と換気扇３００とを備えた調理器システムであって、換気扇３００は、加熱調理器１００へ信号を送信する換気扇送信部３０２と、加熱調理器１００から信号を受信する換気扇受信部３０３と、換気扇送信部３０２および換気扇受信部３０３を制御する換気扇制御装置３５０と、を備え、換気扇制御装置３５０は、換気扇受信部３０３が加熱調理器１００から信号を受信したら、換気扇送信部３０２から加熱調理器１００に応答信号を送信するものである。
【００９９】
本実施の形態４に係る調理器システムによれば、換気扇３００が信号を受信していない場合または受信できない場合に、加熱調理器１００と換気扇３００との間で通信エラーが生じていると判定することができる。また、加熱調理器１００は、通信エラーと判定した場合、報知部１１１により通信エラーに関する情報を報知するため、使用者に通信エラーであることを知らせることができる。
【０１００】
また、短い時間のみ加熱調理器１００と換気扇３００とで通信が行えなかった場合でも、すぐに通信エラーと判定せずに再送信を行うため、加熱調理器１００と換気扇３００との間で通信エラーが生じているかどうかをより確実に判定することができる。また、加熱調理器１００と換気扇３００との間で生じた通信エラー状態がすぐに復旧した場合、通信を行うことができるため、信頼性を向上させることができる。
【０１０１】
実施の形態５．
以下、本発明の実施の形態５について説明するが、実施の形態１〜４と重複するものについては説明を省略し、実施の形態１〜４と同じ部分または相当する部分には同じ符号を付す。
【０１０２】
図１３は、本発明の実施の形態５に係る調理器システムの主要な構成および機能部を示す図である。
本実施の形態５に係る調理器システムの加熱調理器１００および換気扇３００は、図１３に示すように、家屋内に設置されたＨＥＭＳコントローラ６０１に接続されている。ＨＥＭＳコントローラ６０１は、家屋内に配置された各種の電気機器を制御し、電気機器全体のエネルギー需給を総合的に管理するＨＥＭＳ（Home Energy Management System）を構成している。
【０１０３】
加熱調理器１００は、ＨＥＭＳコントローラ６０１と通信を行う第一ＨＥＭＳ通信制御部１６０を備えている。また、換気扇３００は、ＨＥＭＳコントローラ６０１と通信を行う第二ＨＥＭＳ通信制御部３６０を備えている。そして、加熱調理器１００の第一ＨＥＭＳ通信制御部１６０は、ＨＥＭＳコントローラ６０１を介して、換気扇３００から信号を受信する。また、換気扇３００の第二ＨＥＭＳ通信制御部３６０は、ＨＥＭＳコントローラ６０１を介して、加熱調理器１００に信号を送信する。
【０１０４】
実施の形態１〜４では、加熱調理器１００は受信部１１３により換気扇３００からの応答信号を受信していたが、本実施の形態５では、受信部１１３の代わりに第一ＨＥＭＳ通信制御部１６０により、ＨＥＭＳコントローラ６０１を介して、換気扇３００からの応答信号を受信する。また、換気扇３００は換気扇送信部３０２により加熱調理器１００に対して応答信号を送信していたが、本実施の形態５では、換気扇送信部３０２の代わりに第二ＨＥＭＳ通信制御部３６０により、ＨＥＭＳコントローラ６０１を介して、加熱調理器１００に対して応答信号を送信する。
【０１０５】
なお、本実施の形態５に係る調理器システムの制御について、上記の通り、応答信号の送受信方法が変わった以外は、実施の形態４で説明したものと同様であるため、説明を省略する。
【０１０６】
以上、本実施の形態５に係る調理器システムは、加熱調理器１００と換気扇３００とを備えた調理器システムであって、加熱調理器１００は、排気口１０６を有する本体１０１と、本体１０１の上面に設けられた天板１０２と、天板１０２に載置された被加熱容器２００を加熱する加熱部１２０と、換気扇３００へ信号を送信する送信部１１２と、使用者に報知を行う報知部１１１と、ＨＥＭＳコントローラ６０１を介して換気扇３００からの信号を受信する第一ＨＥＭＳ通信制御部１６０と、制御装置１５０と、を備え、換気扇３００は、加熱調理器１００から信号を受信する換気扇受信部３０３と、ＨＥＭＳコントローラ６０１を介して加熱調理器１００に信号を送信する第二ＨＥＭＳ通信制御部３６０と、換気扇制御装置３５０と、を備え、制御装置１５０は、送信部１１２から換気扇３００に信号を送信後、基準時間以内に第一ＨＥＭＳ通信制御部１６０が換気扇３００から応答信号を受信しなかった場合、通信エラーと判定し、通信エラーと判定した場合、報知部１１１により通信エラーに関する情報を報知するものであり、換気扇制御装置３５０は、換気扇受信部３０３が加熱調理器１００から信号を受信したら、第二ＨＥＭＳ通信制御部３６０から加熱調理器１００に応答信号を送信するものである。
【０１０７】
本実施の形態５に係る調理器システムによれば、ＨＥＭＳを利用して加熱調理器１００と換気扇３００とで応答信号の送受信を行っているため、受信部１１３を備えていない加熱調理器１００と換気扇送信部３０２を備えていない換気扇３００とで、実施の形態４で説明した制御を実現できる。
【符号の説明】
【０１０８】
１００  加熱調理器、１０１  本体、１０２  天板、１０３  加熱口、１０４  操作部、１０５  表示部、１０６  排気口、１０７  吸気口、１０８  グリル部、１０９  カバー、１１１  報知部、１１２  送信部、１１３  受信部、１２０  加熱部、１２０ａ  内側加熱コイル、１２０ｂ  外側加熱コイル、１２１  高周波インバータ回路、１２２  温度センサ、１２３  温度検知部、１２４  冷却ファン、１２５  冷却ファンモータ、１５０  制御装置、１５１  メイン制御部、１５２  表示制御部、１５３  操作制御部、１５４  冷却ファンモータ駆動部、１５５  インバータ回路駆動部、１５６  記憶部、１５７  タイマ部、１５８  報知制御部、１５９  通信制御部、１６０  第一ＨＥＭＳ通信制御部、１７０  セレクタ、２００  被加熱容器、３００  換気扇、３０１  換気ファン、３０２  換気扇送信部、３０３  換気扇受信部、３０４  換気ファンモータ、３５０  換気扇制御装置、３５１  換気扇メイン制御部、３５２  換気ファンモータ駆動部、３５３  換気扇通信制御部、３６０  第二ＨＥＭＳ通信制御部、４００  レンジフード、４５０  キッチンカウンター、６０１  ＨＥＭＳコントローラ。
【図１】
2018179318.tif 000003
【図２】
2018179318.tif 000004
【図３】
2018179318.tif 000005
【図４】
2018179318.tif 000006
【図５】
2018179318.tif 000007
【図６Ａ】
2018179318.tif 000008
【図６Ｂ】
2018179318.tif 000009
【図７】
2018179318.tif 000010
【図８】
2018179318.tif 000011
【図９Ａ】
2018179318.tif 000012
【図９Ｂ】
2018179318.tif 000013
【図９Ｃ】
2018179318.tif 000014
【図１０】
2018179318.tif 000015
【図１１】
2018179318.tif 000016
【図１２】
2018179318.tif 000017
【図１３】
2018179318.tif 000018